(57)【特許請求の範囲】
【請求項１】
有機ＥＬ素子を光源とする発光モジュールを点灯させるための電力を出力する電源部と、
前記電源部を制御する制御部と、
前記電源部から前記発光モジュールへの電力の供給が継続されている点灯継続時間を計時する点灯計時部と、
前記電源部から前記発光モジュールへの電力の供給が停止されてから再開されるまでの消灯時間を計時する消灯計時部とを備え、
前記制御部は、前記点灯継続時間が所定の立ち上げ時間以上であれば前記発光モジュールへの出力電流の電流値を所定の定常電流値とするように前記電源部を制御する定常動作を行う一方、前記点灯継続時間が前記立ち上げ時間未満であれば前記発光モジュールへの出力電流の電流値を少なくとも一時的には前記定常電流値よりも大きい立ち上げ電流値とするように前記電源部を制御する立ち上げ動作を行い、前記立ち上げ動作中の前記立ち上げ電流値の最大値を、前記消灯時間に応じて決定することを特徴とする有機ＥＬ点灯装置。
【請求項２】
前記制御部は、前記立ち上げ動作中には、前記発光モジュールへの供給電流の実効値が前記定常電流値以下となるようなデューティ比で間欠的に前記発光モジュールへ出力するように前記電源部を制御することを特徴とする請求項１記載の有機ＥＬ点灯装置。
【請求項３】
前記制御部は、前記消灯時間が所定の上限時間未満である場合には、前記立ち上げ動作中の前記立ち上げ電流値の最大値を前記消灯時間が短いほど小さくすることを特徴とする請求項１又は請求項２記載の有機ＥＬ点灯装置。
【請求項４】
前記制御部は、前記立ち上げ動作の終了時には、前記立ち上げ電流値を前記定常電流値まで徐々に小さくすることを特徴とする請求項１〜３のいずれか１項に記載の有機ＥＬ点灯装置。
【請求項５】
前記制御部は、前記電源部から前記発光モジュールへの電力の供給を開始する際、前記電源部から前記発光モジュールへの出力電流の実効値を０から徐々に増加させるように前記電源部を制御することを特徴とする請求項１〜４のいずれか１項に記載の有機ＥＬ点灯装置。
【請求項６】
請求項１〜５のいずれか１項に記載の有機ＥＬ点灯装置と、前記有機ＥＬ点灯装置と前記有機ＥＬ点灯装置の前記電源部によって電流を供給される前記発光モジュールとをそれぞれ保持する器具本体とを備えることを特徴とする照明器具。
【発明の詳細な説明】
【技術分野】
【０００１】
本発明は、有機ＥＬ素子を光源とする発光モジュールを点灯させる有機ＥＬ点灯装置並びに該有機ＥＬ点灯装置を用いた照明器具に関するものである。
【背景技術】
【０００２】
従来から、有機ＥＬ素子を光源とした発光モジュールを点灯させる有機ＥＬ点灯装置が提供されている（例えば、特許文献１参照）。
【特許文献１】特開２００６−２１０８４８号公報
【発明の開示】
【発明が解決しようとする課題】
【０００３】
図１１に示すように、発光モジュールの光束φは、電力の供給が開始された後、供給される電流の電流値に応じた所定の定常光束φｓで安定するまで、時間ｔに従って徐々に増大する。これは、発光モジュールの光束φが発光モジュールの温度にも依存していることに加え、発光モジュールの温度の変化には時間がかかることに起因する。定常光束φｓに達するまでの時間ｔａ〜ｔｃは、曲線ａ〜ｃで示すように、発光モジュール毎にばらつきがある。このため、複数個の発光モジュールを並べて用いた場合、点灯開始直後、発光モジュールの光束φが上記の定常光束φｓに安定するまでの間、上記のばらつきにより発光モジュール間で光束にばらつきが生じ、見栄えが悪くなっていた。
【０００４】
本発明は、上記事由に鑑みて為されたものであり、その目的は、発光モジュールの点灯後に光束が安定するまでの時間を短縮することができる有機ＥＬ点灯装置並びに該有機ＥＬ点灯装置を用いた照明器具を提供することにある。
【課題を解決するための手段】
【０００５】
請求項１の発明は、有機ＥＬ素子を光源とする発光モジュールを点灯させるための電力を出力する電源部と、前記電源部を制御する制御部と、前記電源部から前記発光モジュールへの電力の供給が継続されている点灯継続時間を計時する点灯計時部と、前記電源部から前記発光モジュールへの電力の供給が停止されてから再開されるまでの消灯時間を計時する消灯計時部とを備え、前記制御部は、前記点灯継続時間が所定の立ち上げ時間以上であれば前記発光モジュールへの出力電流の電流値を所定の定常電流値とするように前記電源部を制御する定常動作を行う一方、前記点灯継続時間が前記立ち上げ時間未満であれば前記発光モジュールへの出力電流の電流値を少なくとも一時的には前記定常電流値よりも大きい立ち上げ電流値とするように前記電源部を制御する立ち上げ動作を行い、前記立ち上げ動作中の前記立ち上げ電流値の最大値を、前記消灯時間に応じて決定することを特徴とする。
【０００６】
この発明によれば、発光モジュールへの供給電流の電流値を定常電流値より大きくしない場合に比べ、発光モジュールの温度を速く上げることができるから、発光モジュールの点灯後に光束が安定するまでの時間を短縮することができる。
【０００７】
請求項２の発明は、請求項１の発明において、前記制御部は、前記立ち上げ動作中には、前記発光モジュールへの供給電流の実効値が前記定常電流値以下となるようなデューティ比で間欠的に前記発光モジュールへ出力するように前記電源部を制御することを特徴とする。
【０００８】
この発明によれば、発光モジュールにかかる電気的ストレスを低減し、発光モジュールの寿命を延長することができる。
【００１０】
請求項３の発明によれば、請求項１又は請求項２の発明において、前記制御部は、前記消灯時間が所定の上限時間未満である場合には、前記立ち上げ動作中の前記立ち上げ電流値の最大値を前記消灯時間が短いほど小さくすることを特徴とする。
【００１１】
この発明によれば、発光モジュールにかかる電気的ストレスを低減し、発光モジュールの寿命を延長することができる。
【００１２】
請求項４の発明は、請求項１〜３のいずれかの発明において、前記制御部は、前記立ち上げ動作の終了時には、前記立ち上げ電流値を前記定常電流値まで徐々に小さくすることを特徴とする。
【００１３】
この発明によれば、立ち上げ動作から定常動作に移行する際の違和感を低減することができる。
【００１４】
請求項５の発明は、請求項１〜４のいずれかの発明において、前記制御部は、前記電源部から前記発光モジュールへの電力の供給を開始する際、前記電源部から前記発光モジュールへの出力電流の実効値を０から徐々に増加させるように前記電源部を制御することを特徴とする。
【００１５】
この発明によれば、発光モジュールにかかる電気的ストレスを低減し、発光モジュールの寿命を延長することができる。
【００１６】
請求項６の発明は、請求項１〜５のいずれか１項に記載の有機ＥＬ点灯装置と、前記有機ＥＬ点灯装置と前記有機ＥＬ点灯装置の前記電源部によって電流を供給される前記発光モジュールとをそれぞれ保持する器具本体とを備えることを特徴とする。
【００１７】
この発明によれば、複数個を並べて用いた場合でも、点灯開始後の発光モジュール間での光束のばらつきが比較的に短時間で低減されるので、見栄えが悪くなりにくい。
【発明の効果】
【００１８】
請求項１の発明によれば、発光モジュールへの出力電流の電流値を少なくとも一時的には定常電流値よりも大きい立ち上げ電流値とすることにより、発光モジュールへの供給電流の電流値を定常電流値より大きくしない場合に比べ、発光モジュールの温度を速く上げることができるから、発光モジュールの点灯後に光束が安定するまでの時間を短縮することができる。
【００１９】
請求項２の発明によれば、立ち上げ動作中に発光モジュールへの供給電流の実効値が定常電流値以下となるようなデューティ比で間欠的に発光モジュールへ出力することにより、発光モジュールにかかる電気的ストレスを低減し、発光モジュールの寿命を延長することができる。
【００２０】
請求項３の発明によれば、消灯時間が短い場合には立ち上げ動作中の立ち上げ電流値の最大値を小さくすることで、発光モジュールにかかる電気的ストレスを低減し、発光モジュールの寿命を延長することができる。
【００２１】
請求項４の発明によれば、立ち上げ動作の終了時に立ち上げ電流値を定常電流値まで徐々に小さくすることにより、立ち上げ動作から定常動作に移行する際の違和感を低減することができる。
【００２２】
請求項５の発明によれば、発光モジュールへの電力の供給を開始する際、発光モジュールへの出力電流の実効値を０から徐々に増加させることにより、発光モジュールにかかる電気的ストレスを低減し、発光モジュールの寿命を延長することができる。
【００２３】
請求項６の発明によれば、複数個を並べて用いた場合でも、点灯開始後の発光モジュール間での光束のばらつきが比較的に短時間で低減されるので、見栄えが悪くなりにくい。
【発明を実施するための最良の形態】
【００２４】
以下、本発明を実施するための最良の形態について、図面を参照しながら説明する。
【００２５】
（実施形態１）
本実施形態は、図２に示すように、直流電源Ｅから電力の供給を受けて、有機ＥＬ素子を光源とする発光モジュール５に電力を供給するものであって、直流電源Ｅの出力電圧を降圧して発光モジュール５に供給する電源部２と、電源部２を制御する制御部３とを備える。直流電源Ｅの負極に接続される端子は、グランドと同電位とされている。直流電源Ｅとしては、交流電源から電源を供給されて所定の電圧の直流電力を出力する周知の直流電源回路や、電池を用いることができる。
【００２６】
電源部２は、直流電源Ｅの出力端間に接続される入力側コンデンサＣ１と、入力側コンデンサの両端間に直列に接続されたスイッチング素子Ｑ１とインダクタＬ１と出力側コンデンサＣ２との直列回路と、アノードがグランドに接続されてカソードがスイッチング素子Ｑ１とインダクタＬ１との接続点に接続されたダイオードＤ１と、制御部３の制御に応じたデューティ比でスイッチング素子Ｑ１をオンオフ駆動する駆動回路２１とを備え、出力側コンデンサＣ２の両端を出力端とする、周知の降圧型コンバータである。
【００２７】
また、直流電源Ｅに接続される端子と電源部２との間には、制御部３の電源電圧（以下、「制御電圧」と呼ぶ。）Ｖｃｃを生成する制御電源部４が設けられている。制御電源部４は、直流電源Ｅの出力電圧を分圧することで制御電圧Ｖｃｃを生成する分圧抵抗Ｒ１，Ｒ２と、低電圧側の分圧抵抗Ｒ２に並列に接続されたツェナーダイオードＺＤ１とからなる。
【００２８】
制御部３は、１番〜８番の８本のピンを有する集積回路３１を備える。集積回路３１において、１番ピンには制御電圧Ｖｃｃが入力され、８番ピンはグランドに接続され、７番ピンには電源部２の出力電圧が分圧抵抗Ｒ４，Ｒ５で分圧されて入力される。７番ピンから集積回路３１に入力された電圧は集積回路３１内でＡ／Ｄ変換される。集積回路３１は、７番ピンに入力された電圧に応じて、２番〜４番のピンからの出力をそれぞれＨレベルとＬレベルとのいずれかに切り換える。このような集積回路３１としては、例えばマイクロチップ社製のＰＩＣ１２Ｆ６２５を用いることができる。
【００２９】
また、制御部３は、発光モジュール５の負極と電源部２との間に接続された抵抗Ｒ３と発光モジュール５との接続点に一端が接続された抵抗Ｒ６と、抵抗Ｒ６の他端とグランドとの間に接続されたコンデンサＣ３と、反転入力端子が抵抗Ｒ１０を介して抵抗Ｒ６とコンデンサＣ３との接続点に接続されるとともに抵抗Ｒ１１を介して出力端子に接続されたオペアンプＯＰ１と、正の入力端子がオペアンプＯＰ１の出力端子に接続されたコンパレータＣＰ１と、一方の入力端子にコンパレータＣＰ１の出力端が接続され他方の入力端子に集積回路３１の４番ピンが接続されるとともに出力端子が駆動回路２１に接続された論理積ゲートＡＮＤとを備える。つまり、オペアンプＯＰ１の出力電圧は、抵抗Ｒ１０を介して反転入力端子に接続されたコンデンサＣ３の充電電圧が高いほど低くなり、非反転入力端子に接続されたコンデンサＣ５の充電電圧が高いほど高くなる。また、オペアンプＯＰ１の非反転入力端子はコンデンサＣ５を介してグランドに接続されるとともに抵抗Ｒ１２を介して集積回路３１の３番ピンに接続されている。さらに、コンパレータＣＰ１の負の入力端子は、一端が抵抗Ｒ１４を介して制御電圧Ｖｃｃに接続されて他端がグランドに接続されたコンデンサＣ４とスイッチング素子Ｑ８との並列回路の前記一端に接続されている。また、コンパレータＣＰ１の反転入力端子とグランドとの間に接続されたスイッチング素子Ｑ８は、集積回路３１の２番ピンからの出力によりオンオフ駆動される。なお、オペアンプＯＰ１とコンパレータＣＰ１とは、１チップ化されたものが安価に市場に出回っている。
【００３０】
本実施形態の動作を説明する。集積回路３１は、２番ピンからの出力により、図３（ａ）に示すように定期的にスイッチング素子Ｑ８を短時間ずつオンする。そして、コンデンサＣ４が、スイッチング素子Ｑ８がオフされている期間に充電され、スイッチング素子Ｑ８がオンされている期間に放電されることにより、コンパレータＣＰ１の負の入力端子に入力される電圧の波形は、図３（ｂ）に示すように充電時のゆるやかな上昇と放電時の急激な低下とを交互に繰り返す波形となる。すなわち、コンパレータＣＰ１の正の入力端子への入力電圧が図３（ｃ）に示すように一定であった場合、コンパレータＣＰ１の出力電圧は図３（ｄ）に示すように正の入力端子への入力電圧が高いほどデューティ比が大きくなるような矩形波となる。発光モジュール５を連続点灯させる期間には、集積回路３１の４番ピンの出力はＨレベルに維持されるので、コンパレータＣＰ１の出力がそのまま論理積ゲートＡＮＤから駆動回路２１への入力となる。駆動回路２１は、入力された矩形波のデューティ比が大きいほどスイッチング素子Ｑ１のオンオフのデューティ比を大きくして電源部２の出力電圧を高くし、つまり発光モジュール５に供給する電流の電流値を大きくする。
【００３１】
ここで、コンパレータＣＰ１の正の入力端子への入力電圧はオペアンプＯＰ１の出力電圧であるが、これは既に述べたように、抵抗Ｒ１０を介してオペアンプＯＰ１の反転入力端子に接続されたコンデンサＣ３の充電電圧が高いほど低くなり、またオペアンプＯＰ１の非反転入力端子に接続されたコンデンサＣ５の充電電圧が高いほど高くなる。前者のコンデンサＣ３の充電電圧は発光モジュール５に供給される電流が多いほど高くなり、後者のコンデンサＣ５の充電電圧は集積回路３１の３番ピンからの出力のデューティ比が高いほど高くなる。つまり、集積回路３１の３番ピンからの出力のデューティ比に対して発光モジュール５に供給される電流が多いほど、コンパレータＣＰ１への入力電圧が低くなり、コンパレータＣＰ１から駆動回路２１への出力のデューティ比が小さくなることにより、発光モジュール５に供給される電流が減少する。すなわち、発光モジュール５に供給する電流の電流値を集積回路３１の３番ピンからの出力のデューティ比に応じた一定値とするようなフィードバック制御がなされる。
【００３２】
また、集積回路３１は、７番ピンへの入力電圧に基いて無負荷状態や発光モジュール５における短絡を検出する。そして、無負荷状態や短絡が検出されたときには、例えば４番ピンの出力をＬレベルとすることによって駆動回路２１を停止させる。
【００３３】
ここで、集積回路３１はタイマ回路を有し、７番ピンへの入力電圧に基いて、電源部２から発光モジュール５への電力の供給を検出するとともにその継続時間（以下、「点灯継続時間」と呼ぶ。）を計時している。つまり、集積回路３１は請求項における点灯計時部でもある。
【００３４】
集積回路３１は、図１（ａ）（ｂ）に示すように、点灯継続時間ｔが所定の立ち上げ時間ｔ２以上であるときには、３番ピンからの出力のデューティ比によって指定される電源部２の出力電流の電流値Ｉｏを所定の定常電流値Ｉｓとする定常動作を行う。定常動作中は、４番ピンからの出力はＨレベルに維持される（言い換えると、４番ピンからの出力のデューティ比は１００％とされる）。
【００３５】
一方、点灯継続時間ｔが立ち上げ時間ｔ２未満であるときには、集積回路３１は、３番ピンからの出力のデューティ比によって指定される電源部２の出力電流の電流値Ｉｏを、定常電流値Ｉｓよりも大きい立ち上げ電流値とするとともに、４番ピンからの出力により、発光モジュール５への供給電流の実効値が定常電流値Ｉｓ以下となるようなデューティ比で間欠的に発光モジュール５へ出力するように電源部２を制御する。ここで、４番ピンからの出力の周波数は、発光モジュール５の明滅が人の目に認識できない程度に十分に高い周波数（例えば１００Ｈｚ以上）とする。
【００３６】
特に、点灯継続時間ｔが立ち上げ時間ｔ３よりも短い所定の始動時間ｔ０未満であるときには、集積回路３１は、電源部２から発光モジュール５への出力電流の実効値｜Ｉｏ｜を０から始動時間ｔ０をかけて徐々に増加させるように電源部２を制御する始動動作を行う。
【００３７】
また、立ち上げ電流値は、点灯継続時間ｔが、始動時間ｔ０よりも長く立ち上げ時間ｔ２よりも短い所定の維持時間ｔ１未満であれば、立ち上げ電流値を所定の初期立ち上げ電流値Ｉｐに保ち、点灯継続時間ｔが維持時間ｔ１に至ってから立ち上げ時間ｔ２に至るまでは、点灯継続時間ｔの増加とともに立ち上げ電流値を初期立ち上げ電流値Ｉｐから定常電流値Ｉｓまで徐々に減少させる移行動作を行う。電源部２の出力のデューティ比は、図１（ｃ）に示すように始動時間ｔ０の経過後には発光モジュール５への供給電流の実効値｜Ｉｏ｜を定常電流値Ｉｓに維持するように、始動時間ｔ０の経過後で維持時間ｔ１の経過前は一定値ｄｔ１とされ、移行動作中は前記一定値ｄｔ１から１００％まで徐々に増やされる。つまり、電源部２から発光モジュール５への出力電流の実効値｜Ｉｏ｜は、発光モジュール５への電力の供給が開始された後、始動時間ｔ０で定常電流値Ｉｓとなるまでは徐々に上昇し、その後は立ち上げ動作の終了にも関わらず一貫して定常電流値Ｉｓに維持される。これにより、始動時間ｔ０の経過後は発光モジュール５の光束は略一定に維持される。
【００３８】
ここで、始動時間ｔ０や維持時間ｔ１や立ち上げ時間ｔ２や定常電流値Ｉｓや初期立ち上げ電流値Ｉｐといった各種のパラメータは、用いられる発光モジュール５に応じて適宜選択すればよく、始動時間ｔ０は例えば数秒であり、維持時間ｔ１や立ち上げ時間ｔ２はそれぞれ例えば数秒から数分であり、定常電流値Ｉｓは例えば数１００ｍＡであり、初期立ち上げ電流値Ｉｐは例えば定常電流値Ｉｓに対して数１０％〜１００％程度大きな値である。
【００３９】
上記構成によれば、発光モジュール５への供給電流の電流値Ｉｏを定常電流値Ｉｓよりも大きい立ち上げ電流値とすることで、発光モジュール５の温度を速く上げることができるから、発光モジュール５の点灯後に光束が安定するまでの時間を短縮することができる。
【００４０】
また、図４や図５に示すように始動動作を行わず点灯の開始時から発光モジュール５への供給電流の実効値｜Ｉｏ｜を初期立ち上げ電流値Ｉｐや定常電流値Ｉｓとする場合や、、図６に示すように発光モジュール５への供給電流の実効値｜Ｉｏ｜を定常電流値Ｉｓに維持するようなデューティ比の制御を行わない場合に比べ、発光モジュール５への電気的ストレスが低減されるから、発光モジュール５の寿命が延長される。
【００４１】
さらに、図４に示すように移行動作を行わない場合に比べ、立ち上げ動作から定常動作に移行する際の違和感を低減することができる。発光モジュール５への供給電流の実効値｜Ｉｏ｜を定常電流値Ｉｓに維持するようなデューティ比の制御を行わない場合には、移行動作による効果はさらに顕著となる。
【００４２】
（実施形態２）
本実施形態の基本構成は実施形態１と共通であるので、共通する部分についての詳細な説明及び図示は省略する。
【００４３】
本実施形態は、図７に示すように、電源部２から発光モジュール５への電力の供給が一度停止されてから再開されるまでの時間（以下、「消灯時間」と呼ぶ。）を計時する消灯計時回路３２を制御部３に備える。
【００４４】
詳しく説明すると、消灯計時回路３２は、一端が集積回路３１の６番ピンに接続され他端がグランドに接続されたコンデンサＣ６と抵抗Ｒ７との並列回路を備える。この並列回路の前記一端は、アノードを集積回路３１側に向けたダイオードＤ２を介して集積回路３１の５番ピンに接続されている。
【００４５】
本実施形態の集積回路３１の動作を説明する。集積回路３１は、７番ピンへの入力に基いて発光モジュール５の点灯状態が検出されている期間には、５番ピンから制御電圧Ｖｃｃと同じ５Ｖの電圧を出力する。これにより、図８に示すように発光モジュール５の消灯時（つまり消灯時間Ｔが０のとき）にはコンデンサＣ６の充電電圧ＶＴは一定の電圧Ｖ１となる。電源部２から発光モジュール５への電力の供給が停止され、すなわち発光モジュール５が消灯された後は、５番ピンからの出力が０Ｖとなることにより、コンデンサＣ６は抵抗Ｒ７を介して放電され、コンデンサＣ６の充電電圧ＶＴは消灯時間Ｔが長いほど低下する。
【００４６】
集積回路３１は、電源部２から発光モジュール５への電力の供給を開始する際、６番ピンからの入力電圧をＡ／Ｄ変換して読み込むことにより、消灯時間Ｔを得る。そして、集積回路３１は、消灯時間Ｔに応じて初期立ち上げ電流値Ｉｐ（すなわち、立ち上げ動作中の立ち上げ電流値の最大値）を決定する。具体的には、図９に示すように、消灯時間Ｔが上限時間Ｔ１以上であれば初期立ち上げ電流値Ｉｐを定常電流値Ｉｓよりも大きな所定の最大立ち上げ電流値Ｉｐ１にする。また、消灯時間Ｔが上限時間Ｔ１未満であれば、消灯時間Ｔが長いほど（つまり上限時間Ｔ１に近いほど）初期立ち上げ電流値Ｉｐを最大立ち上げ電流値Ｉｐ１に近くし、消灯時間Ｔが短いほど初期立ち上げ電流値Ｉｐを定常電流値Ｉｓに近くし、消灯時間Ｔが０であれば初期立ち上げ電流値Ｉｐを定常電流値Ｉｓとするように、消灯時間Ｔが長いほど初期立ち上げ電流値Ｉｐを大きくする。
【００４７】
上記構成によれば、初期立ち上げ電流値Ｉｐを常に最大立ち上げ電流値Ｉｐ１とする場合に比べ、発光モジュール５にかかる電気的ストレスが低減されて発光モジュール５の寿命が延長される。
【００４８】
実施形態１及び本実施形態の有機ＥＬ点灯装置１は、図１０（ａ）（ｂ）に示すような照明器具６に用いることができる。この照明器具６は、下面が開口したボディ７１と、ボディ７１に結合してボディ７１の下面を閉塞するカバー７２とからなる器具本体７を備える。器具本体７内には、電源部２を構成する各回路部品と制御部３を構成する各回路部品と制御電源部４を構成する各回路部品とがそれぞれプリント配線板Ｐに実装されてなる有機ＥＬ点灯装置１と、発光モジュール５とが保持されている。ボディ７１の底面（図１０（ｂ）における上面）には、発光モジュール５を露出させる窓穴７１ａが貫設されている。発光モジュール５は、ガラス板５１と、ガラス板５１の一方の面（図１０（ｂ）における下面）上に設けられた第１の電極層５２と、第１の電極層５２に重ねて設けられ厚さ方向に通電されることにより発光する発光層５３と、発光層５３に重ねて設けられ第１の電極層５２との間に発光層５３を挟む第２の電極層５４と、ガラス板５１とともに第１の電極層５２と発光層５３と第２の電極層５４とを覆うカバー５５とを備える。第１の電極層５２は、例えばインジウムスズ酸化物（ＩＴＯ）のように、透光性と導電性とを有する材料からなる。第２の電極層５４は、例えばアルミニウムのように、導電性を有する材料からなる。カバー５５は例えばガラスからなる。第１の電極層５２と発光層５３と第２の電極層５４とにより、請求項における有機ＥＬ素子が構成されている。第１の電極層５２と第２の電極層５４とにはそれぞれ有機ＥＬ点灯装置１の電源部２の出力端に接続される端子部（図示せず）が設けられており、端子部間に通電されると発光層５３が発光してこの光が第１の電極層５２とガラス板５１とを介して出射されるようになっている。発光モジュール５は、ガラス板５１において第１の電極層５２が設けられた面を内側に向けて窓穴７１ａを閉塞する形でボディ７１に固定されている。上記のような照明器具６であれば、複数個を並べて用いた場合でも、発光モジュール５の点灯開始後の光出力のばらつきが比較的に短時間で低減されるから、見栄えが悪くなりにくい。
【図面の簡単な説明】
【００４９】
【図１】（ａ）〜（ｃ）はそれぞれ本発明の実施形態１の動作を示す説明図であり、（ａ）は横軸に点灯継続時間をとり縦軸に電源部の出力電流の電流値をとったものであり、（ｂ）は横軸に点灯継続時間をとり縦軸に電源部の出力のデューティ比をとったものであり、（ｃ）は横軸に点灯継続時間をとり縦軸に電源部の出力電流の実効値をとったものである。
【図２】同上を示す回路図である。
【図３】（ａ）〜（ｄ）はそれぞれ横軸に時間をとって同上の動作を示す説明図であり、（ａ）の縦軸はスイッチング素子のオンオフの状態を示し、（ｂ）の縦軸はコンパレータの負の入力端子への入力電圧を示し、（ｃ）の縦軸はコンパレータの正の入力端子への入力電圧を示し、（ｄ）の縦軸はコンパレータの出力電圧を示す。
【図４】同上の比較例の動作を示し、横軸に点灯継続時間をとり縦軸に電源部の出力電流の電流値をとった説明図である。
【図５】同上の別の比較例の動作を示し、横軸に点灯継続時間をとり縦軸に電源部の出力のデューティ比をとった説明図である。
【図６】同上の更に別の比較例の動作を示し、横軸に点灯継続時間をとり縦軸に電源部の出力電流の実効値をとった説明図である。
【図７】本発明の実施形態２を示す回路図である。
【図８】同上における消灯計時回路の動作を示す説明図である。
【図９】同上の動作を示し、横軸に消灯時間をとって縦軸に初期立ち上げ電流値をとった説明図である。
【図１０】（ａ）（ｂ）はそれぞれ同上を用いた照明器具を示し、（ａ）は斜視図、（ｂ）は（ａ）のＡ−Ａ断面の要部を示す断面図である。
【図１１】発光モジュールに一定の電流を供給した場合における点灯継続時間と光束との関係を示す説明図であり、曲線ａ〜ｃはそれぞれ異なる発光モジュールでの上記関係を示す。
【符号の説明】
【００５０】
１  有機ＥＬ点灯装置
２  電源部
３  制御部
５  発光モジュール
３１  集積回路（請求項における点灯計時部）
３２  消灯計時回路
【図１】
0004989389.tif 000002
【図２】
0004989389.tif 000003
【図３】
0004989389.tif 000004
【図４】
0004989389.tif 000005
【図５】
0004989389.tif 000006
【図６】
0004989389.tif 000007
【図７】
0004989389.tif 000008
【図８】
0004989389.tif 000009
【図９】
0004989389.tif 000010
【図１０】
0004989389.tif 000011
【図１１】
0004989389.tif 000012